(57)【特許請求の範囲】
【請求項１】
振動板と、該振動板を駆動する力を発生する磁気回路が配備されたフレームを備えるエッジレススピーカであって、
前記振動板の一部に設けられ、前記フレームと所定の間隔を有して配置される壁部材を有し、
前記フレームと前記壁部材とによる空間の開口部の面積をＳｐ、前記エッジレススピーカが取り付けられるキャビネットの容積をＶ、前記壁部材における該壁部材の振動方向に対する長さをＬ、前記振動板の半径をａとしたとき、
ａ２／８≦Ｓｐ≦ａ２／２，
ａ≦Ｌ≦４ａ，
１０ａ３≦Ｖ≦１００ａ３，
を満たすことを特徴とするエッジレススピーカ。
【請求項２】
前記振動板と前記壁部材とを前記フレームに対して支持する上ダンパ及び下ダンパを有し、前記上ダンパ及び下ダンパは、前記磁気回路を挟むように配置されていることを特徴とする請求項１に記載のエッジレススピーカ。
【請求項３】
振動板と、該振動板を駆動する力を発生する磁気回路が配備されたフレームを備えるエッジレススピーカであって、
前記振動板の一部に設けられ、前記フレームと所定の間隔を有して配置される壁部材を有し、
前記壁部材における該壁部材の振動方向に対する長さをＬ、前記振動板の半径をａとしたとき、
ａ≦Ｌ≦４ａ，
を満たすことを特徴とするエッジレススピーカ。
【発明の詳細な説明】
【０００１】
【発明の属する技術分野】
本発明は、低音用スピーカとして好適なエッジレススピーカに係り、特に振動部材の外周部に設けられた空間を共振用ダクトとして利用したエッジレススピーカに関する。
【０００２】
【従来の技術】
近年における低音用スピーカとしては、小口径スピーカであり、十分な音圧が得られ、しかも音歪が低くされるように、スピーカフレームの開口内周面と振動板の外周面との間に取り付けられている環状のエッジを除去した構成のエッジレススピーカが知られている。
【０００３】
すなわち、スピーカフレームの開口内周面と振動板周囲のリング外周面との間に、幅１ｍｍ程度の微小間隙（環状空間）を形成することで、振動板の振動がスムーズに行われるばかりか、振動板前後の空気の流れが妨げられ、低音用スピーカとして機能するものである。
【０００４】
図１０は、このようなエッジレススピーカの一構成例を示すものであり、キャンセルマグネット２、ポールヨーク３、マグネット４及びプレート５によって磁気回路１が構成されている。ポールピース３ａとプレート５との磁気ギャップ内には、ボビン７に付着されたボイスコイル８が介在されている。
【０００５】
ボビン７の上下段は、一端がフレーム９側に取り付けられた上ダンパ１０及び下ダンパ１１によって弾性支持されている。またボビン７の上段には、中心部分にセンターキャップ１２が取り付けられた振動板１３の中心孔１４が固着されている。振動板１３の外周端部に取り付けられているリング１６とフレーム９の内面９ａとの間には、振動板１３が振動した際にリング１６がフレーム９の内面９ａに接触しないように、幅が１ｍｍ程度の環状空間が設けられている。
【０００６】
そして、駆動時においては、上ダンパ１０及び下ダンパ１１によって支持されているボビン７の上下動作に伴って振動板１３が振動するとき、振動板１３の外周端部のリング１６がフレーム９の内面９ａに沿って接触せずに移動することから、振動板１３の振動振幅が大きくされるので、小口径スピーカであっても十分な音圧が得られ、しかも音歪が低くされた低音再生が可能となっている。
【０００７】
【発明が解決しようとする課題】
ところで、上述したエッジレススピーカにあっては、リング１６とフレーム９の内面９ａとの間に環状空間を設けることで、フレーム９の内面９ａへのリング１６の接触が回避されるようになっているが、振動板１３の振動に伴いキャビネット内部に圧力変化を生じた場合、その環状空間を通して空気の流通を生じ、不要な風きり音等が発生してしまうという不具合があった。
【０００８】
そのため、リング１６とフレーム９の内面９ａとの間の環状空間をできるだけ狭くして音響抵抗を大きくし、環状空間を通しての空気の流通を制限するようにしていたが、フレーム９の内面９ａへのリング１６の接触を避けようとした場合には、その環状空間を精度よく維持させる必要があり、各部品の取付精度に厳密性が要求される。すなわち、環状空間の隙間寸法を０．５ｍｍ以下にすることは難しく、その環状空間を通しての空気の流通による不要な風きり音等の発生を抑制することは困難であるため、音質劣化は避けられないものとなっている。
【０００９】
本発明は、このような事情に対処してなされたもので、音質向上を図ることができるエッジレススピーカを提供することを目的とする。
【００１０】
【課題を解決するための手段】
請求項１記載の発明は、振動板と、該振動板を駆動する力を発生する磁気回路が配備されたフレームを備えるエッジレススピーカであって、前記振動板の一部に設けられ、前記フレームと所定の間隔を有して配置される壁部材を有し、前記フレームと前記壁部材とによる空間の開口部の面積をＳｐ、前記エッジレススピーカが取り付けられるキャビネットの容積をＶ、前記壁部材における該壁部材の振動方向に対する長さをＬ、前記振動板の半径をａとしたとき、ａ２／８≦Ｓｐ≦ａ２／２，ａ≦Ｌ≦４ａ，１０ａ３≦Ｖ≦１００ａ３，を満たすことを特徴とする。
【００１１】
請求項２記載の発明は、前述のエッジレススピーカであって、前記振動板と前記壁部材とを前記フレームに対して支持する上ダンパ及び下ダンパを有し、前記上ダンパ及び下ダンパは、前記磁気回路を挟むように配置されていることを特徴とする。
【００１２】
請求項３記載の発明は、振動板と、該振動板を駆動する力を発生する磁気回路が配備されたフレームを備えるエッジレススピーカであって、前記振動板の一部に設けられ、前記フレームと所定の間隔を有して配置される壁部材を有し、前記壁部材における該壁部材の振動方向に対する長さをＬ、前記振動板の半径をａとしたとき、ａ≦Ｌ≦４ａを満たすことを特徴とする。
【００１４】
【作用】
本発明のエッジレススピーカでは、フレームと壁部材とによる空間を、共振用ダクトとし、その空間を音響回路として用いるようにしたものである。
【００１５】
また、その共振用ダクトの要件として、フレームと壁部材とによる空間の開口部の面積をＳｐ  、振動板の半径をａ、共振用ダクトの共振ポートの長さをＬ、キャビネットの容積をＶとしたとき、
ａ２  ／８≦Ｓｐ  ≦ａ２  ／２
ａ≦Ｌ≦４ａ
１０ａ３  ≦Ｖ≦１００ａ３
を満たすようにしている。
このような要件に基づき、Ｓｐ  ，Ｌ，Ｖを最適な値に設定することによって、共振用ダクトを通る空気の流速を小さくすることができ、風切り音の低減が図れるとともに、バスレフ効果を高めることができる。
【００１６】
また、振動部材を支持する上ダンパと下ダンパとを、振動板を駆動する力を発生するための磁気回路を挟むように配置したので、振動部材の無振動時乃至最大振幅時に、振動部材の重心を上ダンパと下ダンパとの間に位置させることができ、振動部材の支持を良好に保つことができる。このため、ローリング現象を起こす可能性の高いエッジレススピーカにおいても、振動部材のローリング現象を抑制することができ、振動部材の振動をスムーズに行わせることができることから、フレームと壁部材とによる空間である隙間の変動を小さくすることができるので、隙間の変動による共振用ダクトの働きの変動を抑制することができる。
【００１８】
【発明の実施の形態】
以下、本発明の実施の形態の詳細を図面に基づいて説明する。なお、以下に説明する図において、図１０と共通する部分には同一符号を付し重複する説明を省略する。
【００１９】
図１及び図２は、本発明のエッジレススピーカの一実施の形態を示すものであり、振動板１３の外周端部に取り付けられているリング１６とフレーム９の内面９ａとの間の環状空間を、共振用ダクト９Ａとしている。この共振用ダクト９Ａの詳細については後述する。
【００２０】
すなわち、壁部材としてのリング１６は、フレーム９の開口端部９ｂからポールヨーク３、マグネット４及びプレート５によって構成される磁気回路１を挟み込む位置まで延ばされており、そのリング１６とフレーム９の内面９ａとの間の環状空間が音響回路として用いられ、共振用ダクト９Ａとして機能させられるようになっている。
【００２１】
リング１６の他端部を弾性支持する下ダンパ１１は、ポールヨーク３側に取り付けられている。上ダンパ１０の一端はプレート５上に取り付けられている支持部材１７に取り付けられ、その他端は振動板１３に連結されているボビン７側に取り付けられている。これにより、振動板１３が振動していないニュートラルな状態では、上ダンパ１０と下ダンパ１１とが磁気回路１を挟持する状態で配設されるので、ボビン７、振動板１３及びリング１６等によって構成される振動部材の重心（図示省略）が無振動時乃至最大振幅時にあっても上ダンパ１０と下ダンパ１１との間に位置し、上ダンパ１０と下ダンパ１１とによる振動板１３の弾性支持が良好に保たれるため、振動板１３の振動がスムーズに行われるようになっている。
【００２２】
ここで、バスレフスピーカにあっては、以下の２点を満たすことが要求される。▲１▼  たとえば図３（ａ）に示すようなインピーダンス特性において、山部が２以上発生し、谷部のインピーダンスがボイスコイル直流抵抗の２倍以内であること。又は、同じことであるが同図（ｂ）のように、ボイスコイル直流抵抗と谷部インピーダンスとの差が６ｄＢ以内であること。ちなみに、同図（ｃ）に示すように、その差が６ｄＢを超える場合には、要件を満たさないことになる。
▲２▼  図４及び図５に示すような周波数に対するレスポンスレベル特性において、変曲点のレスポンスレベルが高域周波数レスポンスレベル−３ｄＢ以上であること。
【００２３】
すなわち、この２点を満たす必要性は、まず▲１▼の条件において、山部が１つでは空間が共振用ダクトとして機能していないことを示し、また山部が２つあっても、谷部のインピーダンスが図３（ｃ）に示したように、ボイスコイル直流抵抗の２倍以上では実質的にバスレフスピーカとして機能しないためである。
【００２４】
なぜなら、谷部のインピーダンスはダクト共振周波数ｆｄ  における共振鋭度Ｑｄ  に関係し、Ｑｄ  が大きいほどボイスコイルの振動速度が小さくなり直流抵抗値に近づくことになるためである。言い換えれば、直流抵抗値より大きいということはボイスコイルが動いていることである。
【００２５】
この現象は、ダクトの面積が過小で空気流通時の抵抗が大きいためダクト共振鋭度が小さくなる場合に等しい。よって、従来のエッジレススピーカはこのケースに該当するものである。
【００２６】
次に、▲２▼の条件に開しては、変曲点のレスポンスレベルが高域周波数レスポンスレベル−３ｄＢより低いと十分な低音再生が望めない。また、従来のエッジレススピーカでは密閉型スピーカとしても、別途ダクトを設けたバスレフ型スピーカとしても、隙間から漏洩する空気が共振を制動する方向に働くため低域のレスポンスが低下してしまう。
【００２７】
以上の要件を踏まえた上で、本実施の形態では、次の条件を満たすようにエッジレススピーカを構成している。
【００２８】
すなわち、図２において、振動板１３の半径をａ、フレーム９とシリンダ１６とによる共振用ダクト９Ａを形成する空間の開口部の面積をＳｐ  、共振用ダクト９Ａの長さをＬ、図示しないキャビネットの容積をＶとしたとき、Ｓｐ  ，Ｌ，Ｖは次の条件を満たすように構成する。但し、容積Ｖはユニットやダクト等を除いた実質的なキャビネットの容積である。
ａ２  ／８≦Ｓｐ  ≦ａ２  ／２
ａ≦Ｌ≦４ａ
１０ａ３  ≦Ｖ≦１００ａ３
【００２９】
すなわち、これらの条件は、一般的なバスレフスピーカの設計方法と同様に考えて導き出したものであり、共振用ダクト９Ａを形成する空間の開口部の断面積が大きいほど共振用ダクト９Ａを通る空気の流速が小さくなるので、いわゆる風切り音が低減されることになる。
【００３０】
ちなみに、ダクト共振周波数を所定の値とするためにはダクト長さＬを大きくする必要があるが、スピーカユニットの全長の許容限以上に長くすることはできない。
【００３１】
また、ダクト共振周波数は共振用ダクト９Ａの寸法とキャビネットの容積によって決定されるため、キャビネットの容積が小さいほど共振用ダクト９Ａの等価質量を大きくする必要があることから、ダクト面積を小さくするかダクト長さを長くするかで、ダクト共振周波数を所定の値に設定することができる。
【００３２】
そこで、ダクト面積を小さくした場合は、共振用ダクト９Ａを通る空気の流速が大きくなり風切り音が増加すると共に、空気抵抗が増加し、ダクト共振を制動するためバスレフの効果が減少してしまう。
【００３３】
したがって、上記のようにＳｐ  ，Ｌ，Ｖそれぞれの関係には最適値の範囲がある程度限定できるものである。
【００３４】
なお、ボビン７、振動板１３及びリング１６等によって構成される振動部材が振勤することで共振用ダクト９Ａの長さＬが可変してしまうこととなるが、まず共振用ダクト９Ａが機能するダクト共振周波数付近では、振動板１３の動きがほぼなくなるため、Ｌの長さは変わらず共振用ダクト９Ａとして機能する。
【００３５】
また、共振周波数以上になると振動板１３の動きは早くなるが、振幅量は小さくなるため、この場合もＬの長さはほぼ変わらず十分に共振用ダクトの機能を果たすことになる。そして、共振周波数以下では、振勤板１３が大きく動くためＬの長さが変化することとなるが、この周波数帯域では共振用ダクト自体機能する必要がないため、ダクトとして働かなくてもよいことになる。このように、共振用ダクト９Ａとして働く必要のある周波数帯域では、共振用ダクト９Ａの長さＬがほぼ変化しないため、共振用ダクト９Ａとしての機能が十分に発揮される。
【００３６】
続いて、以上ような構成のエッジレススピーカの動作について説明する。
まず、ボイスコイル８の駆動によって振動板１３が振動するとき、上ダンパ１０及び下ダンパ１１によって弾性支持されているリング１６がフレーム９の内面９ａに対し所定間隔をもって移動することで、振動板１３の振動がスムーズに行われる。このとき、振動板１３の振動に伴い、振動板１３の背面側からの音波の位相が反転され、共振用ダクト９Ａによる共振音波と振動板１３の前面からの音波との位相が揃えられて放射されることにより、低音域の再生範囲が広げられる。
【００３７】
このとき、共振用ダクト９Ａを形成する空間の開口部の面積Ｓｐ  は、上述した条件を満たしており、共振用ダクト９Ａを通る空気の流速が小さくされることから、いわゆる風切り音が低減される。
【００３８】
また、上述したように、共振用ダクト９Ａとして働く必要のある周波数帯域では、共振用ダクト９Ａの長さＬがほぼ変化しないため、共振用ダクト９Ａとしての機能が十分に発揮された状態での再生が行われる。
【００３９】
更に、振動板１３の振動に際し、振動板１３が振動していないニュートラルな状態では、上ダンパ１０と下ダンパ１１とが磁気回路１を挟持する状態で配設されているので、ボビン７、振動板１３及びリング１６等によって構成される振動部材の重心（図示省略）が無振動時に上ダンパ１０と下ダンパ１１との間に位置するため、上ダンパ１０と下ダンパ１１とによる振動板１３の弾性支持が良好に保たれる。しかも、スピーカキャビネットの内圧変化等で、ボビン７、振動板１３及びリング１６等によって構成される振動部材に横方向（振動板１３の振動方向と垂直な方向）の力が加わった場合であっても、上ダンパ１０と下ダンパ１１とによる振動板１３の弾性支持が良好に保たれるので、ローリング現象を起こす可能性の高いエッジレススピーカにおいても、振動板１３のローリング現象が抑制され、振動板１３の振動がスムーズに行われる。
【００４０】
このように、この実施の形態では、フレーム９と壁部材であるリング１６とによる空間を、共振用ダクト９Ａとし、その空間を音響回路として用いるようにしたものであり、その共振用ダクト９Ａの要件として、フレーム９とリング１６とによる空間の開口部の面積をＳｐ  、振動板の半径をａ、共振用ダクト９Ａの共振ポートの長さをＬ、キャビネットの容積をＶとしたとき、上記の条件を満たすようにした。
【００４１】
したがって、このような要件に基づき、Ｓｐ  ，Ｌ，Ｖを最適な値に設定することによって、共振用ダクト９Ａを通る空気の流速を小さくすることができ、風切り音の低減が図れるとともに、バスレフ効果を高めることができる。
【００４２】
また、ボビン７、振動板１３及びリング１６等によって構成される振動部材を、振動板１３を駆動する力を発生するための磁気回路１を挟むように配置し、振動部材の支持を良好に保つようにしたので、振動部材の振動をスムーズに行わせることができることから、フレーム９とリング１６とによる空間である隙間の変動を小さくすることができるので、隙間の変動による共振用ダクト９Ａの働きの変動を抑制することができ、共振用ダクト９Ａとしての機能を十分に発揮させることができる。
【００４３】
図６は、図１のエッジレススピーカの構成を変えた場合の他の実施の形態を示すものであり、この実施の形態では振動部材を上ダンパ１０及び下ダンパ１１によって弾性支持させる際、最大振幅時（大振幅状態）においても、振動部材をバランスよく支持させることで、ローリング現象を解消するようにしたものである。
【００４４】
すなわち、ダブルダンパ方式を採用したエッジレススピーカの場合、振動部材を上ダンパ１０及び下ダンパ１１によって弾性支持させる際、最大振幅時（大振幅状態）においても、振動部材をバランスよく支持させる必要がある。
【００４５】
この場合、図６のように、最大振幅時であっても、振動部材の重心Ｇを点線で示す上ダンパ１０と下ダンパ１１との間に位置させるようにすることで、上ダンパ１０及び下ダンパ１１と重心Ｇとの間に作用するモーメントＡ，Ｂにより、重心ＧにモーメントＡ１  ，Ｂ１  が作用することになるが、これらのモーメントＡ１  ，Ｂ１  が互いに逆向きに働き、それぞれのモーメントＡ１  ，Ｂ１  が相殺されるので、ローリング現象を起こす可能性の高いエッジレススピーカにおいても、振動部材のローリング現象を抑制することができ、振動部材をスムーズに動作させることができる。
【００４６】
ここで、最大振幅時であっても、振動部材の重心Ｇを点線で示す上ダンパ１０と下ダンパ１１との間に位置させるようにするためには、２つのダンパの間隔を適当に設定したり、上ダンパ１０及び下ダンパ１１のコンプライアンスを設定変更したり、振動板１３やボイスコイル８等の重量配分を調整して重心位置の調整を行ったりすることで、振動部材の重心Ｇの移動範囲の規制が可能である。
【００４７】
ちなみに、図７に示すように、最大振幅時に、振動部材の重心Ｇが点線で示す上ダンパ１０と下ダンパ１１との間から外れてしまうと、重心Ｇに作用する力のモーメントＡ１  ，Ｂ１  がそれぞれ同じ方向に働いてしまうため、それぞれのモーメントＡ１  ，Ｂ１  が相殺されず、振動部材に対しローリング現象が発生してしまうことになる。
【００４８】
したがって、上述したように、振動部材の最大振幅時であっても、振動部材の重心Ｇを上ダンパ１０と下ダンパ１１との間に位置させることが重要であり、重心Ｇに作用するモーメントＡ１  ，Ｂ１  を互いに相殺させることで、ローリング現象を起こす可能性の高いエッジレススピーカにおいても、振動部材のローリング現象を抑制することができ、振動部材の振動をスムーズに行わせることができる。
【００４９】
図８は、図１のエッジレススピーカの構成を変えた場合の他の実施の形態を示すものであり、この実施の形態では振動板１３を突状としたものである。
【００５０】
すなわち、ボビン７の上段に固着される振動板１３の中心孔１４が設けられている中心部分は、フレーム９の開口端部９ｂから外部に突き出した状態に配設され、振動板１３の外周面側はリング１６の一端部側に固着されている。
【００５１】
また、リング１６の他端部を弾性支持する下ダンパ１１は、ポールヨーク３側から付き出た状態に形成されているフレーム下面部１８側に取り付けられている。
【００５２】
一方、上ダンパ１０の一端はプレート５上に取り付けられている支持部材１７に取り付けられ、その他端は振動板１３に連結されているボビン７側に取り付けられている。
【００５３】
したがって、この実施の形態では、振動板１３が振動していないニュートラルな状態では、上ダンパ１０と下ダンパ１１とが磁気回路１を挟持する状態で配設されるが、図１と比較して明かな通り、これら上ダンパ１０と下ダンパ１１との配設間隔が広くされるので、振動板１３及びリング１６等によって構成される振動部材の支持バランスをより良好に維持することができる。
【００５４】
図９は、上述したエッジレススピーカをキャビネットに組み込むとともに、ダクトを別個に設けた場合の他の実施の形態を示すものである。
同図に示すように、キャビネット２０のバッフル板２１には、たとえば図１に示したエッジレススピーカが取り付けられている。エッジレススピーカの下方には、ダクト３０が設けられており、エッジレススピーカのリング１６とフレーム９の内面９ａとの間に設けられた共振用ダクト９Ａとともに、共振ダクトとしての機能が発揮されるようになっている。
【００５５】
したがって、この実施の形態では、エッジレススピーカ側に設けられている共振用ダクト９Ａと別個に設けられているダクト３０とによって共振ダクトとしての機能が発揮されるため、より効率の良い低音再生を行わせることができる。
【００５６】
【発明の効果】
以上説明したように、本発明のエッジレススピーカによれば、フレームと壁部材とによる空間を、共振用ダクトとし、その空間を音響回路として用いるようにしたものであり、その共振用ダクトの要件として、フレームと壁部材とによる空間の開口部の面積をＳｐ  、振動板の半径をａ、共振用ダクトの共振ポートの長さをＬ、キャビネットの容積をＶとしたとき、
ａ２  ／８≦Ｓｐ  ≦ａ２  ／２
ａ≦Ｌ≦４ａ
１０ａ３  ≦Ｖ≦１００ａ３
を満たすようにしている。
【００５７】
このような要件に基づき、Ｓｐ  ，Ｌ，Ｖを最適な値に設定することによって、共振用ダクトを通る空気の流速を小さくすることができ、風切り音の低減が図れるとともに、バスレフ効果を高めることができる。
【００５８】
また、振動部材を支持する上ダンパと下ダンパとを、振動板を駆動する力を発生するための磁気回路を挟むように配置したので、振動部材の無振動時乃至最大振幅時に、振動部材の重心を上ダンパと下ダンパとの間に位置させることができ、振動部材の支持を良好に保つことができる。このため、ローリング現象を起こす可能性の高いエッジレススピーカにおいても、振動部材のローリング現象を抑制することができ、振動部材の振動をスムーズに行わせることができることから、フレームと壁部材とによる空間である隙間の変動を小さくすることができるので、隙間の変動による共振用ダクトの働きの変動を抑制することができる。
【００５９】
更に、必要に応じて、フレームと壁部材とによる空間と共に、キャビネットのバッフル板に設けたダクトを共振ダクトとして機能させるようにすることで、より効率の良い低音再生を行わせることができる。
【００６０】
したがって、フレームと壁部材とによる空間を、共振用ダクトとし、その空間を音響回路として用いるようにしたので、低音域の再生周波数を伸ばすことができるとともに、従来問題となっていたその空間を通しての空気の流通による不要な風きり音等の発生を解消することができ、また振動部材のローリング現象を抑制することができることから、振動部材の振動をスムーズに行わせることができ、更にフレームと壁部材とによる空間と共に、キャビネットのバッフル板に設けたダクトを共振ダクトとして機能させるようにすると、より効率の良い低音再生を行わせることができるので、音質向上を図ることができる。
【図面の簡単な説明】
【図１】本発明のエッジレススピーカの一実施の形態を示す断面図である。
【図２】図１のエッジレススピーカを拡大して示す断面図である。
【図３】図１のエッジレススピーカの共振用ダクトの要求される条件を説明するための図であり、バスレフのインピーダンス特性を示す図である。
【図４】図１のエッジレススピーカの共振用ダクトの要求される条件を説明するための図であり、キャビネットの等価スチフネスによる周波数特性の変化を示す図である。
【図５】図１のエッジレススピーカの共振用ダクトの要求される条件を説明するための図であり、ポートの等価質量による周波数特性の変化を示す図である。
【図６】図１のエッジレススピーカの構成を変えた場合の他の実施の形態を示す断面図である。
【図７】図６のエッジレススピーカの作用を説明するための断面図である。
【図８】図１のエッジレススピーカの構成を変えた場合の他の実施の形態を示す断面図である。
【図９】図１又は図８のエッジレススピーカとダクトとをキャビネットに組み込んだ場合の他の実施の形態を示す斜視図である。
【図１０】従来のエッジレススピーカを示す半裁断面図である。
【符号の説明】
１  磁気回路
３  ポールヨーク
４  マグネット
５  プレート
９  フレーム
９Ａ  共振用ダクト
１０  上ダンパ
１１  下ダンパ
１３  振動板
１６  リング
１７  支持部材
２０  キャビネット
２１  バッフル板
３０  ダクト
【図１】
0003556039.tif 000002
【図２】
0003556039.tif 000003
【図３】
0003556039.tif 000004
【図４】
0003556039.tif 000005
【図５】
0003556039.tif 000006
【図６】
0003556039.tif 000007
【図７】
0003556039.tif 000008
【図８】
0003556039.tif 000009
【図９】
0003556039.tif 000010
【図１０】
0003556039.tif 000011